(57)【要約】【課題】構造が簡単で、寸法誤差の少なく、しかも、開蓋強度の調整がやさしく、大形化せず、見栄えのよい容器を提供する。【解決手段】上面に化粧皿収容凹部１ａが形成された容器本体１と、この容器本体１の上面を開閉自在に蓋する蓋体３とを備えている。そして、上記蓋体３の一端部から連結部１６を下向きに突設し、この連結部１６を上記容器本体１の一端部に連結ピン１４を介して回動自在に連結し、上記連結部１６に可撓板部１８を、上記容器本体１の一端部に対向させた状態で形成し、この可撓板部１８の、上記連結ピン１４より下側位置に、開蓋時に上記容器本体１の一端部に押圧状に当接する凸部２１を突設し、開蓋時に上記凸部２１が上記容器本体１の一端部に当接すると上記可撓板部１８が撓んで上記容器本体１の一端部を乗り越えうるように構成している。【選択図】図６
2007037712.tif 000002
【特許請求の範囲】
【請求項１】
上面に化粧料収容用孔部が形成された容器本体と、この容器本体の上面を開閉自在に蓋する蓋体とを備え、上記蓋体の一端部から連結部を下向きに突設し、この連結部を上記容器本体の一端部にヒンジ軸を介して回動自在に連結し、上記連結部に可撓部を、上記容器本体の一端部に対向させた状態で形成し、この可撓部の、上記ヒンジ軸より下側位置に、開蓋時に上記容器本体の一端部に押圧状に当接する凸部を突設し、開蓋時に上記凸部が上記容器本体の一端部に当接すると上記可撓部が撓んで上記容器本体の一端部を乗り越えうるように構成したことを特徴とする容器。
【請求項２】
上記連結部の内部に、上記連結部の下端面から上方に延びる切欠き部を形成することにより、上記容器本体の一端部に対向する上記連結部の部分を薄肉に形成して可撓部とした請求項１記載の容器。
【請求項３】
上記連結部に、ヒンジ軸と直交する方向に貫通する貫通孔を穿設することにより、この貫通孔の下側部分を薄肉に形成して可撓部とした請求項１記載の容器。
【発明の詳細な説明】
【技術分野】
【０００１】
本発明は、化粧料容器等の容器に関するものである。
【背景技術】
【０００２】
従来から、ファンデーション等の化粧料を収容する各種の化粧料容器として、図９に示すようなコンパクト容器が提案されている。このコンパクト容器は、上面に化粧皿収容凹部３１ａが形成された容器本体３１と、この容器本体３１の上面を蓋する蓋体３２と、開蓋用フックピース３３とを備えており、上記容器本体３１の前端部中央に、奥面に係合突起３４ａが突設された切欠き凹部３４を形成し、この切欠き凹部３４にフックピース３３を回動自在に固定している。また、上記蓋体３２の前端部中央から、上記係合突起３４ａに着脱自在に係合する係合爪３２ａを垂設している。そして、閉蓋時には上記係合突起３４ａと係合爪３２ａとの係合により閉蓋状態を保持し、開蓋時にはフックピース３３の下部を奥側に押圧してフックピース３３を回動させることにより、上記係合を解除するようにしている。
【０００３】
ところが、上記のコンパクト容器では、容器本体３１の係合突起３４ａ，蓋体３２の係合爪３２ａおよびフックピース３３の構造が複雑で、成形による寸法誤差が生じやすい。そのため、上記係合が強固になりすぎて開蓋しにくいものや、緩すぎて簡単に開蓋しすぎるものができる。特に上記係合が強固なコンパクト容器では、蓋体３２の開閉を繰り返すと、上記係合爪３２ａに無理な力が加わって材質疲労が蓄積し、使用途中で上記係合爪３２ａが折れるという事態が生じる。また、上記係合が緩すぎて簡単に開蓋するコンパクト容器では、バッグ等に入れて携帯している際に、不用意に開蓋して化粧料でバッグ等の内部を汚すという事態を生じたりする。しかも、容器本体３１，蓋体３２およびフックピース３３の３部品が必要であり、部品点数が多く、在庫管理等の管理面が煩雑になる。
【０００４】
そこで、フックピース３３を不要としたものとして、図１０に示すようなコンパクト容器が提案されている。このコンパクト容器は、容器本体３６と、この容器本体３６の後部にヒンジ部３８を介して開閉自在に取り付けた蓋体３７とを備え、上記容器本体３６の後部に断面コ字形の部位を形成し、この部位の後端片を弾性部３９とし、この弾性部３９の後面に、上記ヒンジ部３８よりも下方の部位に突起３９ａを突設し、上記蓋体３７に、上記突起３９ａの先端に接触する蓋体頂部３７ａを形成している。このコンパクト容器では、上記突起３９ａにより蓋体３７が不用意に開放してしまうことを阻止して閉蓋状態で安定的に保持することができる。また、開蓋のために蓋体３７を回動させると、蓋体３７に設けた蓋体頂部３７ａにより突起３９ａに応力がかかって弾性部３９が弾性変形し、蓋体頂部３７ａが突起３９ａを乗り越えることができ、蓋体３７を開けることができる（例えば、特許文献１参照）。
【特許文献１】特開２００５−８８９２５号公報
【発明の開示】
【発明が解決しようとする課題】
【０００５】
しかしながら、上記のコンパクト容器では、上記容器本体３６の後部に形成した弾性部３９の後面に突起３９ａを突設し、上記蓋体３７に蓋体頂部３７ａを突設し、これら突起３９ａと蓋体頂部３７ａとを開蓋時に接触させるようにしているため、上記弾性部３９，突起３９ａ，蓋体頂部３７ａの構造が複雑になり、成形による寸法誤差が生じやすい。特に容器本体３６に突設した突起３９ａと、この容器本体３６とは別部材である蓋体３７に突設した蓋体頂部３７ａとを接触させるようにしているため、上記寸法誤差により上記接触が強くなりすぎて開蓋しにくいものや、弱すぎて簡単に開蓋してしまうものができやすくなる。しかも、上記したように、開蓋時に、容器本体３６に突設した突起３９ａと、この容器本体３６とは別部材である蓋体３７に突設した蓋体頂部３７ａとを接触させるようにしているため、開蓋強度の調整がむずかしい。しかも、上記のコンパクト容器を底側から見ると、上記弾性部３９，突起３９ａ，蓋体頂部３７ａにより見栄えが悪い。
【０００６】
本発明は、このような事情に鑑みなされたもので、構造が簡単で、寸法誤差の少なく、しかも、開蓋強度の調整がやさしく、大形化せず、見栄えのよい容器の提供をその目的とする。
【課題を解決するための手段】
【０００７】
上記の目的を達成するために、本発明の容器は、上面に化粧料収容用孔部が形成された容器本体と、この容器本体の上面を開閉自在に蓋する蓋体とを備え、上記蓋体の一端部から連結部を下向きに突設し、この連結部を上記容器本体の一端部にヒンジ軸を介して回動自在に連結し、上記連結部に可撓部を、上記容器本体の一端部に対向させた状態で形成し、この可撓部の、上記ヒンジ軸より下側位置に、開蓋時に上記容器本体の一端部に押圧状に当接する凸部を突設し、開蓋時に上記凸部が上記容器本体の一端部に当接すると上記可撓部が撓んで上記容器本体の一端部を乗り越えうるように構成したという構成をとる。
【発明の効果】
【０００８】
すなわち、本発明の容器は、上面に化粧料収容用孔部が形成された容器本体と、この容器本体の上面を開閉自在に蓋する蓋体とを備えている。また、上記蓋体の一端部から連結部を下向きに突設し、この連結部を上記容器本体の一端部にヒンジ軸を介して回動自在に連結し、上記連結部に可撓部を、上記容器本体の一端部に対向させた状態で形成し、この可撓部の、上記ヒンジ軸より下側位置に、開蓋時に上記容器本体の一端部に押圧状に当接する凸部を突設している。そして、開蓋時に上記凸部が上記容器本体の一端部に当接すると上記可撓部が撓んで上記容器本体の一端部を乗り越えうるように構成している。したがって、本発明の容器では、閉蓋状態にあるときに、不用意に開蓋しようとしても、この開蓋に伴って上方に回動しようとする（上記蓋体の連結部の可撓部の、上記ヒンジ軸より下側位置に突設された）凸部が、その回動の途中で（もしくは全く回動することなく）上記容器本体の一端部に当接し、この当接によりそれ以上回動することができなくなり、開蓋が阻止される。また、上記閉蓋状態から開蓋するために、上記蓋体を開蓋方向に手指等で回動させると、この回動に伴って上記凸部が上方に回動して（もしくは全く回動することなく）上記容器本体の一端部に当接し、この当接ののちも上記蓋体を開蓋方向に強く回動させると、上記可撓部がその可撓性により撓むことから、上記凸部が容器本体の一端部に押圧状に当接しながら上方に回動して上記容器本体の一端部を乗り越えることができ、開蓋させることができる。
【０００９】
このように、本発明の容器では、上記蓋体の一端部の連結部に可撓部を形成するとともに、この可撓部に凸部を突設し、これら２つの可撓部，凸部だけで、不用意に開蓋するのを阻止しているため、構造が簡単であり、成形による寸法誤差が生じにくくなる。このため、上記寸法誤差により上記当接が強くなりすぎて開蓋しにくいものや、弱すぎて簡単に開蓋してしまうものができなくなる。しかも、上記蓋体にだけ可撓部，凸部を設けているため、開蓋強度の調整がやさしい。しかも、本発明の容器を底側から見ても、上記蓋体にだけ可撓部，凸部を設けているため、見栄えが悪くならない。
【００１０】
また、上記連結部の内部に、上記連結部の下端面から上方に延びる切欠き部を形成することにより、上記容器本体の一端部に対向する上記連結部の部分を薄肉に形成して可撓部とすると、従来の蓋体に切欠き部を形成しただけであり、従来の蓋体の外形，寸法等を変更することなく、作製でき（すなわち、従来の蓋体のデッドスペースを利用し、上記優れた効果を奏する容器を作製することができ）、この容器が大形化しない。しかも、本発明の容器を底側から見ても、上記蓋体の連結部に形成された切欠き部と凸部とが見えるだけであり、見栄えが悪くならない。
【００１１】
また、上記連結部に、ヒンジ軸と直交する方向に貫通する貫通孔を穿設することにより、この貫通孔の下側部分を薄肉に形成して可撓部とすると、従来の蓋体に貫通孔を穿設しただけであり、従来の蓋体の外形，寸法等を変更することなく、作製でき（すなわち、従来の蓋体のデッドスペースを利用し、上記優れた効果を奏する容器を作製することができ）、この容器が大形化しない。しかも、本発明の容器を底側から見ても、上記貫通孔は見えず、従来と同様の、良い見栄えを維持することができる。
【発明を実施するための最良の形態】
【００１２】
つぎに、本発明の実施の形態を図面にもとづいて詳しく説明する。
【００１３】
図１および図２は本発明の容器の一実施の形態を示している。この実施の形態では、容器として、非フックピース型の化粧料容器を用いている。これらの図において、１は上面に平面視略四角形状の化粧皿収容凹部（化粧料収容用孔部）１ａと平面視略四角形状の化粧用具収容凹部１ｂとが左右並設状に形成された容器本体であり、上記化粧皿収容凹部１ａに、化粧料２ａが充填された化粧皿２が着脱自在に収容され、上記化粧用具収容凹部１ｂにパフ等の化粧用具（図示せず）が収容されている。また、上記容器本体１には、その後側壁１１に、その左右両側壁部分１１ａを残した状態で、後側面および上下両側面が開放された切欠き部１２が切欠き形成されており、この切欠き部１２に、後述する蓋体３の連結部１６が回動自在に挿通されている。また、上記容器本体１の後側壁１１の左右両側壁部分１１ａには、これを貫通するようにして左右一対の連結ピン挿通孔１３が相対向する状態で形成されており、これら両連結ピン挿通孔１３に、上記連結部１６を回動自在に支受する連結ピン１４（図５参照）が、上記左右両側壁部分１１ａの内面（すなわち、上記切欠き部１２の左右両側面）から突出する状態で挿通，固定されている。
【００１４】
３は上記容器本体１の上面を開閉自在に蓋する蓋体であり、平板形状の蓋板部１５と、この蓋板部１５の後端部から垂設される連結部１６とからなり、この連結部１６が、上記容器本体１の切欠き部１２に回動自在に挿通されている。
【００１５】
上記連結部１６には、その左右方向中央部分に、閉蓋時に上記容器本体１の後側面（すなわち、上記切欠き部１２の前側面）に相対向するようにして、可撓性を有する可撓板部（可撓部）１８が形成されている（図３参照）。より詳しく説明すると、上記連結部１６には、その左右方向中央部分に、下端面の前後方向中央部分から上方に向かって（上記連結部１６の上端面もしくはその近傍部分にまで）延びる四角形平板状の切欠き空間（切欠き部）１９が切欠き形成されているとともに、この切欠き空間１９の左右両側縁部に対応する上記連結部１６の前側面（閉蓋時に上記容器本体１の後側面に相対向する面）の部分に、左右一対の縦筋状切欠き部２０が上記切欠き空間１９の左右両側縁部に連通するようにして切欠き形成されている（図４および図５参照）。そして、上記切欠き空間１９と両縦筋状切欠き部２０で挟まれた上記連結部１６の部分が薄肉に形成され、この薄肉部が、可撓性を有する可撓板部１８として利用されている。また、この可撓板部１８の下端面（すなわち、上記連結ピン１４より下側位置）には、開蓋時に上記容器本体１の後側面に押圧状に当接する凸部２１が、下向きに突設されている（図６参照）。図３において、１６ａは、上記連結部１６の左右両側面に形成されたピン挿通孔であり、上記連結ピン１４の、上記容器本体１の後側壁１１の左右両側壁部分１１ａの内面から突出する部分が回動自在に挿通されている。
【００１６】
上記の構成において、上記容器本体１の上面を蓋体３の蓋板部１５で閉じた状態（閉蓋状態）では、上記蓋体３の可撓板部１８およびその凸部２１は上記容器本体１の後側面に略当接している（図５参照）。このため、不用意に開蓋しようとしても、この開蓋に伴って上方に回動しようとする凸部２１が、上記容器本体１の後側面に当接し、この当接によりそれ以上回動することができなくなり、開蓋が阻止される。一方、上記閉蓋状態から、開蓋するために、上記蓋体３を開蓋方向に手指等で回動させると、この回動に伴って上記凸部２１が上記容器本体１の後側面に当接し、この当接ののちも上記蓋体３を開蓋方向に強く回動させると、上記可撓板部１８がその可撓性により撓むことから、上記凸部２１が容器本体１の後側面に押圧状に当接しながら上方に回動して上記容器本体１の後側面を乗り越えることができ（図６参照）、開蓋させることができる。
【００１７】
このように、上記実施の形態では、上記蓋体３の後端部から下向きに突設した連結部１６に可撓板部１８を形成するとともに、この可撓板部１８に凸部２１を突設し、これら２つの可撓板部１８，凸部２１だけで、不用意に開蓋するのを阻止しているため、構造が簡単であり、成形による寸法誤差が生じにくくなる。しかも、上記したように、上記蓋体３にだけ可撓板部１８，凸部２１を設けているため、開蓋強度の調整がやさしい。しかも、従来の蓋体に切欠き空間１９を形成して可撓板部１８を設け、この可撓板部１８の下端面に凸部２１を下向きに突設しただけであり、従来の蓋体のデッドスペースを利用して可撓板部１８，凸部２１を形成しており、この容器が大形化しない。しかも、本発明の容器を底側から見ても、上記連結部１６の下端面に切欠き空間１９，凸部２１が見えるだけであり、見栄えが悪くならない。
【００１８】
図８は上記蓋体３の変形例を示している。この例では、上記蓋体３の連結部１６の左右方向中央部分に、前後方向に貫通する貫通孔２３が穿設されており、この貫通孔２３により、その下側部分が薄肉に形成されている。そして、この薄肉部が可撓部２４として利用され、この可撓部２４の下端面から下方に向かって、開蓋時に上記容器本体１の後側面に押圧状に当接する凸部２５が突設されている。それ以外の部分は上記実施の形態に用いる蓋体３と同様であり、同様の部分には同じ符号を付している。この例の蓋体３を用いた場合にも、上記実施の形態と同様の作用・効果を奏する。しかも、底側から見ても、上記連結部１６に穿設した貫通孔２３は見えず、従来と同様の、良い見栄えを維持することができる。
【００１９】
なお、上記実施の形態では、上記容器本体１に化粧皿収容凹部１ａを形成し、この化粧皿収容凹部１ａに化粧皿２を着脱自在に収容しているが、これに限定するものではなく、上記容器本体１に化粧皿収容用の貫通孔を穿設し、この貫通孔に化粧皿２を着脱自在に収容してもよい。また、上記化粧皿収容凹部１ａに化粧料２ａを直接に充填してもよい。
【図面の簡単な説明】
【００２０】
【図１】本発明の容器の一実施の形態を示す斜視図である
【図２】上記容器の平面図である
【図３】蓋体の要部の斜視図である。
【図４】開蓋状態の容器の要部の斜視図である。
【図５】上記容器の作用を示す断面図である。
【図６】上記容器の作用を示す断面図である。
【図７】上記容器の作用を示す断面図である。
【図８】上記蓋体の変形例を示す斜視図である
【図９】従来例を示す斜視図である。
【図１０】他の従来例を示す断面図である。
【符号の説明】
【００２１】
１  容器本体
１ａ  化粧皿収容凹部
３  蓋体
１４  連結ピン
１６  連結部
１８  可撓板部
２１  凸部
【図１】
2007037712.tif 000003
【図２】
2007037712.tif 000004
【図３】
2007037712.tif 000005
【図４】
2007037712.tif 000006
【図５】
2007037712.tif 000007
【図６】
2007037712.tif 000008
【図７】
2007037712.tif 000009
【図８】
2007037712.tif 000010
【図９】
2007037712.tif 000011
【図１０】
2007037712.tif 000012